(57)【特許請求の範囲】
【請求項１】
画像データの記録される記録媒体を装着可能な装着手段を有し、
装着される前記記録媒体に記録されている画像データに基づいて画像生成装置で生成される画像を投射して表示する投射型表示装置において、
前記画像を照明するための光源と、
前記記録媒体の装着の有無を検出する記録媒体検出手段と、
前記記録媒体が装着されたことを前記記録媒体検出手段が検出したときに、前記光源を点灯させる点灯制御手段と、
前記記録媒体に音声データが記録されているか否かを判定する判定手段と、
前記判定手段が前記音声データが記録されていると判断したときに、前記音声データを再生する音声再生手段と、
外部からの音声信号を入力する音声入力手段とを有し、
前記音声再生手段は、前記判定手段が音声データが記録されていないと判断したときに、前記音声入力手段から入力した音声信号を再生することを特徴とする投射型表示装置。
【請求項２】
画像データの記録される記録媒体を装着可能な装着手段を有し、
装着される前記記録媒体に記録されている画像データに基づいて画像生成装置で生成される画像を投射して表示する投射型表示装置において、
前記画像を照明するための光源と、
前記記録媒体の装着の有無を検出する記録媒体検出手段と、
前記記録媒体が装着されたことを前記記録媒体検出手段が検出したときに、前記光源を点灯させる点灯制御手段と、
前記記録媒体に音声データが記録されているか否かを判定する判定手段と、
前記判定手段が前記音声データが記録されていると判断したときに、前記音声データを再生する音声再生手段とを有することを特徴とする投射型表示装置。
【請求項３】
請求項２に記載の投射型表示装置において、
前記記録媒体の非装着を前記記録媒体検出手段が検出したときに、前記光源を消灯させる消灯制御手段をさらに有することを特徴とする投射型表示装置。
【請求項４】
請求項２または３に記載の投射型表示装置において、
前記記録媒体の非装着を前記記録媒体検出手段が検出してから、予め定められた時間が経過したときに前記光源を消灯させる遅延消灯制御手段をさらに有することを特徴とする投射型表示装置。
【請求項５】
請求項２〜４のいずれか１項に記載の投射型表示装置において、
入力された音声信号を増幅する音声増幅装置と、
前記記録媒体が装着されたことを前記記録媒体検出手段が検出してから、予め定められた時間が経過するまで前記音声増幅装置の増幅率を抑制する状態または前記音声増幅装置の信号を遮断する状態を維持する弱音制御手段とをさらに有することを特徴とする投射型表示装置。
【発明の詳細な説明】
【０００１】
【発明の属する技術分野】
本発明は投射型表示装置に関し、さらに詳しくは投射型表示装置の光源の点灯および消灯を自動制御することで無駄な電力の消費を抑制可能な投射型表示装置に関する。
【０００２】
【従来の技術】
投射型表示装置は、コンピュータから出力されるビデオ信号や、ビデオカメラ等の映像機器から出力される映像信号に基づく画像をスクリーン等に投射する装置である。投射型表示装置内には、上述のとおり画像をスクリーン等に投射するための光源が内蔵される。従来、投射型表示装置の光源の点灯、消灯の制御は、この投射型表示装置の本体に設けられるスイッチや、リモートコントロール装置に設けられるスイッチを操作者がオン・オフ操作することにより行っていた。
【０００３】
【発明が解決しようとする課題】
ところが、上述した投射型表示装置で光源を点灯し忘れると、映像信号が入力されているのにも拘わらず画像がスクリーンに表示されない。このとき操作者は、何が原因で画像がスクリーンに表示されないのかが瞬時に判断できず、あわてることがあった。また、映像信号が入力されていない状態では、光源が点灯していてもスクリーン上に投射される光の量は僅かである。このため、操作者は光源が点灯していることに気付かず、光源を消灯し忘れて無駄な電力を消費することがあった。
【０００４】
本発明の目的は、操作者による光源の点灯／消灯操作を不要とし、かつ無駄な電力の消費を抑制可能な投射型表示装置を提供することにある。
【０００５】
【課題を解決するための手段】
（１）請求項１に記載の発明は、画像データの記録される記録媒体を装着可能な装着手段を有し、装着される前記記録媒体に記録されている画像データに基づいて画像生成装置で生成される画像を投射して表示する投射型表示装置において、前記画像を照明するための光源と、前記記録媒体の装着の有無を検出する記録媒体検出手段と、前記記録媒体が装着されたことを前記記録媒体検出手段が検出したときに、前記光源を点灯させる点灯制御手段と、前記記録媒体に音声データが記録されているか否かを判定する判定手段と、前記判定手段が前記音声データが記録されていると判断したときに、前記音声データを再生する音声再生手段と、外部からの音声信号を入力する音声入力手段とを有し、前記音声再生手段は、前記判定手段が音声データが記録されていないと判断したときに、前記音声入力手段から入力した音声信号を再生することを特徴とする。
（２）請求項２に記載の発明は、画像データの記録される記録媒体を装着可能な装着手段を有し、装着される前記記録媒体に記録されている画像データに基づいて画像生成装置で生成される画像を投射して表示する投射型表示装置において、前記画像を照明するための光源と、前記記録媒体の装着の有無を検出する記録媒体検出手段と、前記記録媒体が装着されたことを前記記録媒体検出手段が検出したときに、前記光源を点灯させる点灯制御手段と、前記記録媒体に音声データが記録されているか否かを判定する判定手段と、前記判定手段が前記音声データが記録されていると判断したときに、前記音声データを再生する音声再生手段とを有することを特徴とする。
【０００７】
【発明の実施の形態】
図１を参照して本発明の実施の形態に係る投射型表示装置について説明する。投射型表示装置１は、コンピュータ３０、ビデオカメラ４０などの外部機器から出力される映像信号に基づく画像を装置内部で生成し、投影レンズ２２を介してスクリーン５６上に投射する。投射型表示装置１はまた、ＩＣカードスロット１８にメモリカード５２を、スロット２０にスライドフィルム等の透過原稿５８を装着可能である。投射型表示装置１は、上述した映像信号に基づく画像の投射に加え、メモリーカード５２に記録されている画像データに基づく画像を生成してスクリーン５６に投射することも、透過原稿５８の画像をスクリーン５６に投射することもできる。
【０００８】
投射型表示装置１の背面には、上述した外部機器から出力される映像信号および音声信号を入力するために、以下に説明する複数の入力端子が設けられている。音声信号入力端子２には、音声ケーブル３４の一端に取り付けられているプラグ３２が接続される。この音声ケーブル３４の他端はコンピュータ３０に接続されている。映像信号入力端子４には、ビデオケーブル３６の一端に取り付けられているコネクタ３８が接続される。このビデオケーブル３６の他端はコンピュータ３０に接続されている。
【０００９】
映像信号入力端子４に入力される信号は、コンピュータ３０の種類によってさまざまである。つまり、上記信号としては、映像信号に同期信号が付加されているもの、映像信号と同期信号とが分離されているもの、そしてこの同期信号に関して水平・垂直同期信号が分離されているもの、あるいは重畳されているもの等がある。
【００１０】
接続ケーブル４２の一端には映像信号プラグ４４、左チャンネル音声信号プラグ４６および右チャンネル音声信号プラグ４８が取り付けられている。このケーブルの他端はビデオカメラ４０に接続されている。投射型表示装置１の映像信号入力端子８には映像信号プラグ４４が接続される。また、左チャンネル音声信号入力端子（以下、左チャンネル音声信号入力端子を「Ｌ音声信号入力端子」と称する）１０には左チャンネル音声信号プラグ４６が接続される。さらに、右チャンネル音声信号入力端子（以下、右チャンネル音声信号入力端子を「Ｒ音声信号入力端子」と称する）１２には右チャンネル音声信号プラグ４８が接続される。
【００１１】
音声出力端子１６は、投射型表示装置１内に設置される音声増幅回路の出力に接続されている。この音声出力端子１６には、必要に応じて外部スピーカ（不図示）に接続するための接続ケーブルのプラグが接続される。
【００１２】
投射型表示装置１の側面には窓２６が設けられている。窓２６の内側には赤外光の受光装置８０（図１では不図示、図２参照）が配置されている。リモートコントローラ５０を操作者が操作するのに応じて、リモートコントローラ５０からは赤外光が投光される。このときに投光される赤外光は、リモートコントローラ５０の操作内容に応じたパターンで周波数変調されたもの（赤外光の点灯・消灯の繰り返しの周波数に変調がかけられたもの）となっている。受光装置８０は、リモートコントローラ５０から出力される赤外光を受光する。リモートコントローラ５０としては、上述したものに代えて超音波や電磁波等を用いるものであってもよい。
【００１３】
マウス２８は、スクリーン５６上に投影される画像に重ねて投影されるポインタの位置を変化させるためのものである。すなわち、マウス２８を、机等の平面上で前後左右に滑らせるのに応じてスクリーン５６上に表示されるポインタの表示位置が変化する。マウス２８を用いることで、指し棒等を用いることなく、スクリーン５６上に投影されている画像の注目点を指示することができる。また、上記ポインタ機能は、リモートコントローラ５０によって行ってもよい。このマウス２８は、投射型表示装置１の動作モード等の設定に際しても用いることができる。この動作モード等の設定に関しては後で説明する。
【００１４】
図２は、投射型表示装置１の内部構成を概略的に示す図である。以下図１および図２を参照して投射型表示装置１の内部構成および動作について説明する。図２において、映像信号入力端子８に接続される同期分離回路６２は、映像信号中に重畳されている同期信号を分離するための回路である。同期分離回路６２で同期信号が分離された映像信号は、ディジタルデコーダ６４に出力される。ディジタルデコーダ６４は、同期分離回路６２から入力された映像信号に基づいて赤・緑・青（以下、「ＲＧＢ」と称する）各色のカラーディジタルデータをスイッチ素子６６の端子６６ａに出力する。同期分離回路６２に映像信号が入力されている間、この同期分離回路６２からＯＲ回路７４に所定の時間幅のパルスが繰り返し出力される。
【００１５】
映像信号入力端子４を構成する端子４ａおよび端子４ｂについて説明する。映像信号入力端子４に入力される映像信号の種類は、上述したとおりコンピュータ３０の種類によってさまざまである。この映像信号に同期信号が重畳されているものである場合、端子４ａに接続される同期分離回路６８は、映像信号から同期信号を分離する。同期分離回路６８から出力される映像信号はＡ／Ｄコンバータ７０でＲＧＢのカラーディジタルデータに変換され、スイッチ素子６６の端子６６ｂに出力される。同期分離回路６８に同期信号の重畳された映像信号が入力されている間、この同期分離回路６８からＯＲ回路７４に所定の時間幅のパルスが繰り返し出力される。以上に説明したように、映像信号に同期信号が重畳された信号が端子４ａに入力される場合、同期信号を入力する端子４ｂは非接続（オープン）の状態となる。これに対応するため、端子４ｂは抵抗７２でプルダウンされている。
【００１６】
一方、映像信号入力端子４に入力される映像信号が同期信号と分離されているものの場合、端子４ａに入力される映像信号に対して独立した同期信号が端子４ｂに入力される。この端子４ｂはＯＲ回路７４と接続されているので、映像信号入力端子４に映像信号が入力されている間、端子４ｂからＯＲ回路７４には所定の時間幅のパルスが繰り返し出力される。
【００１７】
ＯＲ回路７４の出力に接続されるマルチバイブレータ７６は、リトリガラブルのモノステーブルマルチバイブレータで、このマルチバイブレータ７６から出力される信号のパルス幅は以下のように設定される。すなわち、投射型表示装置１に入力可能な映像信号フォーマットのうち、水平同期信号の周波数が最も低い映像信号の水平同期信号の約１．５周期に相当する時間幅にマルチバイブレータ７６のパルス幅は設定される。つまり、マルチバイブレータ７６にある幅のパルス信号が入力されると、マルチバイブレータ７６からは上述した時間の間’Ｈ’レベルとなる信号が出力される。したがって、マルチバイブレータ７６にＯＲ回路７４からパルス信号が出力される間、マルチバイブレータ７６の出力信号は’Ｈ’レベルに維持される。なお、上記１．５周期の設定に関しては多少の余裕を見込んで設定されるものであり、必ずしも１．５周期とする必要はない。つまり、マルチバイブレータ７６から出力される信号のパルス幅については、上述した最も低い水平同期信号の周期の１倍を越す適宜の値に設定しておけばよい。
【００１８】
マルチバイブレータ７６の出力端子は、２入力のＯＲ回路７８の一の入力端子およびＣＰＵ８４に接続される。ＯＲ回路７８の他の入力端子にはＣＰＵ８４の出力が接続される。ＯＲ回路７８の出力端子はランプ点灯回路８８に接続される。つまり、ＯＲ回路７８のいずれかの入力が’Ｈ’であると、ランプ点灯回路８８には’Ｈ’の信号が出力される。ランプ点灯回路８８は、入力される信号が’Ｈ’である間、ランプ９０に電力を供給する。すなわち、ランプ点灯回路８８に’Ｈ’の信号が入力されるとランプ９０が点灯する。このランプ９０は、投射型表示装置１の投射用の光源であり、メタルハライドなどの高圧放電ランプが用いられる。このランプ９０に関しては、投射型表示装置１の仕様によっては上記高圧放電ランプに限らず、通常のタングステン球やハロゲンランプ等を用いることもできる。マルチバイブレータ７６の出力は、ＣＰＵ８４にも入力される。したがって、ＣＰＵ８４はランプ９０の点灯／消灯状態を検知することができる。また、ランプ自体が故障等によって点灯しない場合等に対応するため、ランプ９０の近傍に不図示の受光装置を配置し、この受光装置からの出力をＣＰＵ８４で読み取ることでランプ９０の点灯・消灯状態を直接検知してもよい。さらに、ランプ９０両端での電圧や、ランプ９０に流れる電流を検知することにより、ランプ９０の点灯・消灯状態を検知することもできる。
【００１９】
スロット２０（図１）に透過原稿５８が挿入されると、投射型表示装置１内に配置されるホルダ９４によりこの透過原稿５８は保持される。ホルダ９４の近傍にはフォトインタラプタ９２が設置されており、このフォトインタラプタ９２から出力される信号は透過原稿５８の在否に応じて変化する。ＣＰＵ８４はフォトインタラプタ９２から出力される信号を入力し、透過原稿５８の在否を判定する。なお、透過原稿５８の表面、あるいは透過原稿５８の枠部等に磁気記録層のあるものについては、上記フォトインタラプタ９２を用いずに透過原稿５８の在否を判定することができる。この場合、ホルダ９４の近傍に設置される不図示の磁気読み取りヘッドから信号が出力されるのを検知して透過原稿５８の在否が判定される。なお、透過原稿５８が装着されたときに投射型表示装置１内部では光学系の切換動作が行われる。この切換動作については本出願人による特開平９−８３９１５号公報などに開示されているので、その説明を省略する。
【００２０】
ＩＣカードスロット１８（図１）にメモリカード５２が挿入され、投射型表示装置１内に配置されるコネクタ９８にこのメモリカード５２が接続されるとＣＰＵ８４は投射型表示装置１にメモリカード５２が装着されたことを認識する。メモリカード５２から出力される画像データは、デコード回路９６でＲＧＢのカラーディジタルデータに変換され、スイッチ素子６６の端子６６ｃに入力される。スイッチ素子６６の出力は液晶駆動回路１０８に接続される。液晶駆動回路１０８はスイッチ素子６６を介して入力されるＲＧＢのカラー画像データに基づいて液晶表示装置１１０を駆動する。この液晶表示装置１１０で生成される画像が投影レンズ２２（図１）を介してスクリーン５６に投射される。このとき、スイッチ素子６６は画像生成回路８５（画像生成回路８５の詳細については後述）、ディジタルデコーダ６４、Ａ／Ｄコンバータ７０およびデコード回路９６のうちのいずれかから出力されるＲＧＢのカラーディジタルデータを液晶駆動回路１０８に出力する。スイッチ素子６６の入力を切り換える動作は、制御回路８６を介してＣＰＵ８４により制御される。なお、ＣＰＵ８４によるスイッチ素子６６の入力切換制御動作については後で詳しく説明する。
【００２１】
音声信号入力端子２はスイッチ回路１００の端子１００ａと接続され、Ｌ音声信号入力端子１０およびＲ音声信号入力端子１２はスイッチ回路１００の端子１００ｃと接続される。なお、Ｌ音声信号とＲ音声信号とは本来独立した信号であるので、スイッチ回路１００へは上記端子１０および１２のそれぞれから独立して配線されるが、図２においては簡略化して図示している。また、音声入力端子２に入力される音声信号は上記端子１０および１２の場合と同様にモノーラルであってもステレオであってもよい。
【００２２】
メモリカード５２には、画像データとともに音声データも記録される場合がある。この場合、デコード回路９６はメモリカード５２に記録されている音声データに基づく音声信号を生成し、スイッチ回路１００の端子１００ｂに出力する。このときＣＰＵ８４は、メモリカード５２に音声データが記録されていることを検知可能である。
【００２３】
スイッチ回路１００の出力は音声増幅回路１０２に接続される。音声増幅回路１０２は、スイッチ回路１００を介して入力される音声信号を増幅する。この増幅回路１０２にはミュート端子１０２ａが設けられており、制御回路８６を介してＣＰＵ８４よりミュート信号が発せられると音声増幅回路１０２の増幅率が低められるか、あるいはゼロとされる。以下、本明細書中で音声増幅回路１０２の増幅率が低められかゼロにされることを「ミュートされる」と称し、通常の増幅率に戻されることを「ミュートが解除される」と称する。音声増幅回路１０２の出力はスイッチ回路１０４に接続される。音声増幅回路１０２で増幅された信号は、スイッチ１０４の切換状態に応じ、内蔵スピーカ１０６または音声出力端子１６に出力される。このとき、スイッチ回路１００は音声信号入力端子２、Ｌ音声信号入力端子１０およびＲ音声信号入力端子１２、そしてデコード回路９６のうちのいずれかから出力される音声信号を音声増幅回路１０２に出力する。スイッチ回路１００の入力を切り換える動作は、制御回路８６を介してＣＰＵ８４により制御される。ＣＰＵ８４によるスイッチ回路１００の入力切換制御動作については後で詳しく説明する。なお、スイッチ１０４の切換については不図示の切換スイッチを投射型表示装置１に設け、操作者が切換可能としてもよい。あるいは、このスイッチ１０４を通常は内蔵スピーカ１０６に接続しておき、音声出力端子１６に外部スピーカへの接続ケーブルのプラグが装着されたときのみ音声出力端子１６に接続される構成としてもよい。また、内蔵スピーカ１０６、音声出力端子１６の両方に音声信号を出力する構成としてもよい。但し、この場合には、ミュート端子１０２ａを備えた音声増幅回路１０２が二つ必要となる。
【００２４】
操作者がリモートコントローラ５０を操作すると、リモートコントローラ５０からは上記操作に応じたパターンで例えば周波数変調のかけられた赤外光が出射される。受光素子８０はこの赤外光を受光して電気信号に変換する。この電気信号はデコーダ８２でデコードされてＣＰＵ８４に入力される。ＣＰＵ８４は、デコーダ８２から出力される信号に基づいて後で説明する制御動作を実行する。
【００２５】
以上のように構成される投射型表示装置１の動作について説明する。なお、以下の説明では、初期状態において投射型表示装置１には映像信号が入力されておらず、またメモリカード５２も透過原稿５８も装着されていないものとする。また、このように映像信号が入力されておらず、メモリカード５２も透過原稿５８も装着されていない状態において、音声増幅回路１０２はＣＰＵ８４によりミュートされている。
【００２６】
操作者は、投射型表示装置１の電源スイッチ（不図示）をオンする。このとき、投射型表示装置１には上述した状態にあるのでＯＲ回路７８からランプ点灯回路８８に入力される信号は’Ｌ’の状態にある。したがって、ランプ９０は点灯しないので無駄な電力を消費することがない。あるいは、電源投入直後のみ、映像信号の入力の有無やメモリカード５２あるいは透過原稿５８の装着の有無に拘わらず一定時間ランプ９０を点灯させ、ランプ９０を暖めるようにしてもよい。このようにする理由は、ランプ９０が投射に適した温度に暖まるまでに時間を要するからである。以上のようにしてランプ９０を余熱しておくことにより、投射型表示装置１に後述するように映像信号が入力されたときに、投射される画像は短時間のうちに観賞に適したものとなる。上述のようにランプの余熱を行う制御は、ＣＰＵ８４により制御される。具体的には、電源投入直後の一定時間、ＣＰＵ８４がＯＲ回路７８に’Ｈ’の信号を出力すればよい。また、この際、映像信号の入力がなく、メモリカード５２、あるいは透過原稿５８が装着されていない場合には”Ｎｏ  Ｓｉｇｎａｌ”等の表示をオンスクリーンディスプレイで表示できるようにしてもよい。このような表示を電源投入直後に所定時間行うことで操作者は、投射型表示装置の接続等の状況について瞬時に把握することができる。
【００２７】
−  コンピュータから出力される映像信号に基づく投射表示  −
以上の状態で操作者がコンピュータ３０の電源を投入すると、映像信号入力端子４にコンピュータ３０より映像信号が出力される。すると、同期分離回路６８または端子４ｂからＯＲ回路７４に、所定のパルス幅を有するパルス信号が繰り返し入力され、これにともなってＯＲ回路７４からマルチバイブレータ７６に上述したのと同様の信号が入力される。このようにパルス信号がマルチバイブレータ７６に繰り返し入力されると、マルチバイブレータ７６からＯＲ回路７８には’Ｈ’信号が出力され、ランプ９０が点灯する。続いてＣＰＵ８４は、マルチバイブレータ７６の出力が’Ｌ’から’Ｈ’になってから予め定められた時間が経過するのを待ち、制御回路８６を介して音声増幅回路１０２に制御信号を発し、ミュートを解除する。
【００２８】
このように、ランプ９０を点灯してから所定の時間が経過するのを待ち、ミュートを解除する理由について説明する。ランプ９０が高圧放電ランプである場合、このランプ９０の点灯開始時には数秒間、高圧のパルス電圧が印加される。このとき、音声増幅回路１０２の出力信号にノイズが重畳することがある。このノイズが音声増幅回路１０２で増幅されると、スピーカ１０６から大きなノイズ音を発したり、最悪の場合にはスピーカ１０６の破損につながる場合もある。この点、本発明に係る投射型表示装置１では、ランプ９０が点灯してから所定時間が経過するまでの間、音声増幅回路１０２はミュートされているので上記不具合が抑制される。すなわち、ランプ９０が高圧放電ランプのように点灯開始時に高圧のパルス電圧が印加されるものである場合、上記所定時間はランプ９０への高圧のパルス電圧の印加が終了するまでに要する時間を超していればよい。また、ランプ９０がタングステン球やハロゲンランプである場合、点灯開始時に電圧の変動を生じることがあるが、この電圧の変動が収まるのに要する時間を超す値に上記所定時間を定めればよい。
【００２９】
ランプ９０が高圧放電ランプである場合、上述したパルス電圧の印加が終わるまでの間、音声増幅装置１０２はミュートされているので上記不具合が発生することがない。つまり、ランプ９０の点灯を開始してからこのランプ９０に対する高圧パルス電圧の印加が終了するまでの間、音声増幅装置１０２はミュートされているのでノイズ音を発することがない。なお、以上では音声増幅回路１０２をミュートさせる例について説明したが、他の方法によってもよい。たとえば、スイッチ回路１００に、先に説明した端子１００ａ〜１００ｃのいずれにも接続されないＯＦＦポジションを設け、音声増幅回路１０２をミュートさせるのに代えてＣＰＵ８４がスイッチ１００をＯＦＦポジションに切り換えるものであってもよい。この場合、上述したランプ点灯時のノイズが音声増幅装置１０２よりも前の部分で重畳することが前提となる。上記ノイズが音声増幅装置１０２で重畳するような場合は、音声増幅回路１０２に供給する電源の入り切りをＣＰＵ８４によって制御可能に構成し、音声増幅回路１０２をミュートさせるのに代えてＣＰＵ８４が音声増幅回路１０２の電源を切るようにしてもよい。さらに、スイッチ回路１０４にいずれのスピーカとも接続されないＯＦＦポジションを設け、音声増幅回路１０２をミュートさせるのに代えてＣＰＵ８４がスイッチ回路１０４をＯＦＦポジションに切り換えるものであってもよい。
【００３０】
コンピュータから出力される映像信号に基づく投射表示を行う場合、ＣＰＵ８４によりスイッチ素子６６は端子６６ｂと液晶駆動回路１０８とが接続される状態に設定される。このとき、同じくＣＰＵ８４によりスイッチ回路１００は端子１００ｃと音声増幅回路１０２とが接続される状態に設定される。したがって、コンピュータ３０より出力される映像信号に基づく画像がスクリーン５６に投射表示され、またコンピュータ３０から出力される音声信号が増幅されてスピーカ１０６にて再生される。なお、ＣＰＵ８４によるこれらスイッチ素子６６およびスイッチ回路１００の切換制御については後で説明する。
【００３１】
−  ビデオカメラから出力される映像信号に基づく投射表示  −
上述したのと同様の動作が、ビデオカメラ４０の電源を投入したときにも行われる。以下、このときの動作について説明する。ビデオカメラ４０の電源を投入するのにともない、映像信号入力端子８にビデオカメラ４０より映像信号が入力される。すると、同期分離回路６２からＯＲ回路７４に所定のパルス幅を有するパルス信号が繰り返し入力され、これにともなってＯＲ回路７４からマルチバイブレータ７６に上述したのと同様の信号が入力される。このようにパルス信号がマルチバイブレータ７６に繰り返し入力されると、マルチバイブレータ７６からＯＲ回路７８に’Ｈ’信号が出力され、ランプ９０が点灯する。続いてＣＰＵ８４は、マルチバイブレータ７６の出力が’Ｌ’から’Ｈ’になってから予め定められた時間が経過するのを待ち、制御回路８６を介して音声増幅回路１０２に制御信号を発してミュートを解除する。
【００３２】
以上の場合において、ＣＰＵ８４によりスイッチ素子６６は端子６６ａと液晶駆動回路１０８とが接続される状態に設定される。また、スイッチ回路１００はＣＰＵ８４により端子１００ａと音声増幅回路１０２とが接続される状態に設定される。したがって、ビデオカメラ４０から出力される映像信号に基づく画像がスクリーン５６に投射表示され、またビデオカメラ４０から出力される音声信号が増幅されてスピーカ１０６にて再生される。ＣＰＵ８４によるこれらスイッチ素子６６およびスイッチ回路１００の切換制御については後で説明する。
【００３３】
図３に示すフローチャートは、ＣＰＵ８４により実行される投射型表示装置１の制御手順の一部を示している。コンピュータ３０またはビデオカメラ４０から出力される映像信号に基づいて投射型表示装置１が投射表示を行う際に、ＣＰＵ８４で実行される上述の制御手順について、図３（ａ）を参照して再度説明する。図３（ａ）に示すフローチャートは、ＣＰＵ８４が投射型表示装置１に映像信号の入力されたことを検出してランプ９０を点灯し、音声増幅回路１０２のミュートを解除する制御動作の部分のみを示している。
【００３４】
ＣＰＵ８４は、ステップＳ１０１でマルチバイブレータ７６から出力される信号が’Ｈ’であるか否かを判定し、否定されるとステップＳ１０１の判定を継続して行う。ステップＳ１０１の判定が肯定されるとＣＰＵ８４は、ステップＳ１０３においてタイマを起動し、ステップＳ１０４でタイマの計時が完了したか否かを判定する。ステップＳ１０４での判定が否定されるとＣＰＵ８４はステップＳ１０４の判定を継続して行い、ステップＳ１０４の判定が肯定されるとステップＳ１０５に進んで制御回路８６にミュート解除の指令信号を発する。制御回路８６は、この指令信号に基づき、音声増幅回路１０２の端子１０２ａに信号を発して音声増幅回路１０２のミュートを解除する。
【００３５】
以上が映像信号入力端子４または８に映像信号が入力される場合の投射型表示装置１の動作説明である。続いて、映像信号入力４または８に入力されていた上記映像信号が入力されなくなった場合の動作について説明する。この場合、ＯＲ回路７４の入力はいずれも’Ｌ’となるので、このＯＲ回路７４の出力は’Ｌ’となり、マルチバイブレータ７６の出力も’Ｌ’となる。このとき、ＣＰＵ８４からＯＲ回路７８へ出力される信号は’Ｌ’となっているので、このＯＲ回路７８からの出力は’Ｌ’となり、ランプ点灯回路８８はランプ９０を消灯する。この場合、映像信号入力端子４または８に映像信号が入力されるとランプ９０が点灯し、この映像信号が途絶えるとランプ９０はすぐに消灯する。したがって、映像信号入力端子４または８へのコネクタの脱着時等、映像映像信号入力端子４または８に入力される映像信号が断続的比較的短い時間で途切れるものである場合、ランプ９０の点灯および消灯が頻繁に繰り返されることになる。この現象が望ましくない場合にはＣＰＵ８４がＯＲ回路７８に対して以下に説明するように信号を出力することもできる。
【００３６】
マルチバイブレータ７６の出力信号はＣＰＵ８４にも出力されているので、ＣＰＵ８４は映像信号入力端子４または８に映像信号が入力されているか否かを検知することができる。ＣＰＵ８４は、映像信号が入力されたことを検知するとＯＲ回路７８に’Ｈ’の信号を出力する。このとき、マルチバイブレータ７６からＯＲ回路７８にも’Ｈ’の信号が出力されていて、ランプ９０は点灯する。この状態で映像信号が途切れた場合、マルチバイブレータ７６の出力は’Ｌ’となる。しかし、ＣＰＵ８４からＯＲ回路７８に出力されている信号は’Ｈ’となっているので、ＯＲ回路７８の出力信号は’Ｈ’の状態が維持され、したがってランプ９０の点灯状態も維持される。ＣＰＵ８４は、マルチバイブレータ７６の出力信号が’Ｌ’となったことを検知すると計時を開始する。そして予め定められた時間に達するとＯＲ回路７８への出力を’Ｌ’にする。すると、ＯＲ回路７８の出力信号は’Ｌ’となるので、ランプ９０は消灯する。このように、映像信号が入力されていないことを検知してから予め定められた時間が経過してからランプ９０を消灯するように制御することにより、映像信号入力端子４または８に、映像信号が比較的短いサイクルで断続的に入力される場合であってもランプ９０の点灯・消灯が頻繁に繰り返されることがなくなる。また、図２においてマルチバイブレータ７６と同様のものをＯＲ回路７４の各入力（前段部）に設け、このマルチバイブレータからの出力をＣＰＵ８４が検出可能な構成としてもよい。このようにすることで、ＣＰＵ８４は映像信号入力端子４、８のうち、どちらから映像信号が入力されているのかを判別することができるので、この判別結果をもとにスイッチ６６、１００の端子を選択するようにしてもよい。
【００３７】
図３（ｂ）を参照し、投射型表示装置１に映像信号が入力されなくなったときのＣＰＵ８４の上述した制御動作について再度説明する。図３（ｂ）に示すフローチャートは、ＣＰＵ８４が投射型表示装置１に映像信号が入力されなくなったことを検出して音声増幅回路１０２をミュート状態にし、ランプ９０を消灯する制御動作の部分のみを示している。
【００３８】
ステップＳ２０１においてＣＰＵ８４は、マルチバイブレータ７６からの出力信号が’Ｌ’であるか否かを判定し、否定されるとステップＳ２０１の判定動作を継続して行う。ステップＳ２０１の判定が肯定されるとＣＰＵ８４は、ステップＳ２０２でタイマをスタートさせる。ＣＰＵ８４は、ステップＳ２０３においてタイマの計時が終了したか否かを判定し、否定されるとステップＳ２０３の判定動作を繰り返す。ステップＳ２０３の判定が肯定されるとＣＰＵ８４は、制御回路８６にミュートの指令信号を発する。制御回路８６は、この信号をＣＰＵ８４から受けると音声増幅回路１０２の端子１０２ａに信号を発して音声増幅回路１０２をミュート状態にする。ＣＰＵ８４は、ステップＳ２０５においてＯＲ回路７８に出力される信号を’Ｌ’にする。するとＯＲ回路７８の出力は’Ｌ’となり、ランプ９０が消灯する。これにより、端子８、４ａ、４ｂへのコネクタ３８、４４の装着時の接触の不完全さ等によるランプ９０の点灯・消灯の繰り返し動作を抑制することができる。
【００３９】
メモリカード５２または透過原稿５８が投射型表示装置１に装着された場合の動作について順次説明する。なお、以下の説明では、初期状態において投射型表示装置１には映像信号が入力されておらず、またメモリカード５２も透過原稿５８も装着されていないものとする。この状態においては、音声増幅回路１０２はミュートされており、ランプ９０は消灯状態にある。これにより、端子８、４ａ、４ｂへコネクタ３８、４４を装着する際に、接触の不完全さ等によるランプの点灯・消灯の繰り返し動作を抑制することができる。
【００４０】
−  メモリカードに記録される画像データに基づく投射表示  −
メモリカード５２がコネクタ９８に装着されると、ＣＰＵ８４はこれを検知し、ＯＲ回路７８に’Ｈ’の信号を出力する。すると、ＯＲ回路７８からランプ点灯回路８８に’Ｈ’の信号が出力されてランプ９０が点灯する。続いてＣＰＵ８４は、ランプ９０を点灯してから予め定められた時間が経過するのを待ち、制御回路８６を介して音声増幅回路１０２に制御信号を発してミュートを解除する。
【００４１】
以上の場合において、ＣＰＵ８４によりスイッチ素子６６は端子６６ｃと液晶駆動回路１０８とが接続される状態に設定される。ＣＰＵ８４はまた、装着されているメモリカード５２内に画像データとともに音声データが記録されているか否かを判定する。もし音声データが記録されていると判定すると、ＣＰＵ８４はスイッチ回路１００に制御信号を発し、端子１００ｂと音声増幅回路１０２とが接続される状態に設定する。したがって、メモリカード５２に記録される画像データに基づく画像がスクリーン５６に投射表示され、またメモリカード５２に画像データとともに記録される音声データに基づく音声信号が増幅されてスピーカ１０６にて再生される。
【００４２】
一方、メモリカード５２に音声データが記録されていないと判定するとＣＰＵ８４は、スイッチ１００に対して制御信号を発し、端子１００ａおよび１００ｃのうち、予め定められたいずれかの端子と音声増幅回路１０２とが接続される状態に設定する。ＣＰＵ８４がこのようにスイッチ回路１００を制御することにより、音声入力端子２、あるいはＬ音声信号入力端子１０およびＲ音声信号入力端子１２から音声信号を入力してスピーカ１０６、あるいは不図示の外付けスピーカで再生することができる。
【００４３】
つまり、メモリカード５２に音声データが記録されていない場合には、音声入力端子２と、Ｌ音声信号入力端子１０およびＲ音声信号入力端子１２とのうち、いずれかの端子から入力される音声信号を増幅してスピーカ１０６等で再生することができる。このため、プレゼンテーション等を効果的に行うことができる。なお、スイッチ１００の切換に関し、操作者が投射型表示装置１に配置されている不図示の音源選択スイッチの操作を検知してＣＰＵ８４がスイッチ１００に制御信号を発してもよい。また、操作者がリモートコントローラ５０を操作して音源を選択するのに応じてＣＰＵ８４がスイッチ１００に制御信号を発してもよい。
【００４４】
投射型表示装置１にメモリカード５２が装着され、このメモリカード５２に記録される画像データに基づく投射表示を行う際に、ＣＰＵ８４により実行される上述した制御手順について、図４を参照して再度説明する。図４は、ＣＰＵ８４により実行される投射型表示装置１の制御手順の一部を示し、投射型表示装置１にメモリカード５２が装着されたことをＣＰＵ８４が検出してランプ９０を点灯し、スイッチ１００を切り換え、音声増幅回路１０２のミュートを解除をするまでの制御手順のみを示している。
【００４５】
ステップＳ３０１においてＣＰＵ８４は、メモリカード５２が装着されたことを検出したか否かを判定する。ステップＳ３０１での判定が否定されると、ＣＰＵ８４はステップＳ３０１の判定を繰り返し行う。ステップＳ３０１での判定が肯定されると、ＣＰＵ８４はステップＳ３０２においてスイッチ素子６６の接続切換指令信号を制御回路８６に出力する。制御回路８６は、ＣＰＵ８４から上記指令信号を受け、スイッチ素子６６に制御信号を発して端子６６ｃを液晶駆動回路１０８に接続する。ＣＰＵ８４は、ステップＳ３０３においてＯＲ回路７８に出力される信号を’Ｈ’にする。すると、ＯＲ回路７８の出力は’Ｈ’となるのでランプ９０が点灯する。ステップＳ３０４においてＣＰＵ８４は、装着されているメモリカード５２に音声データが記録されているか否かを判定し、肯定されるとステップＳ３０５に進んで制御回路８６にスイッチ１００の切換制御信号を発する。制御回路８６は、ＣＰＵ８４からの制御信号に基づき、端子１００ｂを音声増幅回路１０２の入力に接続する。ステップＳ３０４での判定が否定された場合、すなわち装着されたメモリカード５２には音声データが記録されていないと判定されるとＣＰＵ８４はステップＳ３０９に分岐し、制御回路８６にスイッチ１００の切換制御信号を発する。この信号を受け、制御回路８６は端子１００ａまたは１００ｃを音声増幅回路１０２の入力に接続する。ステップＳ３０６においてＣＰＵ８４はタイマをスタートさせる。ＣＰＵ８４は、ステップＳ３０７においてタイマの計時が終了したか否かを判定し、否定されるとステップＳ３０７の判定を引き続き行う。ステップＳ３０７の判定が肯定されるとＣＰＵ８４は、ステップＳ３０８において制御回路８６にミュート解除の指令信号を発する。制御回路８６は、音声増幅回路１０２の端子１０２ａに制御信号を発して音声増幅回路１０２のミュートを解除する。
【００４６】
メモリカード５２が投射型表示装置１より取り外された場合の動作について説明する。ＣＰＵ８４は、メモリカード５２がコネクタ９８より抜かれるのを検知するとＯＲ回路７８に出力する信号を’Ｌ’にする。ＯＲ回路７８の他方の入力は’Ｌ’であるのでＯＲ回路７８の出力も’Ｌ’となり、ランプ点灯回路８８はランプ９０を消灯する。ＣＰＵ８４はまた、制御回路８６を介して音声増幅回路１０２に制御信号を発し、音声増幅回路１０２をミュートさせる。
【００４７】
メモリカード５２の挿脱が比較的短い時間間隔で繰り返される場合、ランプ９０の点灯・消灯も頻繁に繰り返される。さらには、メモリカード５２を入れ替えて、別のメモリカード５２を挿入して画像を表示しようとする場合にも、消灯・点灯が繰り返される。この現象が望ましくない場合には、メモリカード５２の抜かれたことをＣＰＵ８４が検知してから予め定められた時間が経過するまで待ち、その後にＯＲ回路７８に出力する信号を’Ｌ’としてもよい。このようにすることで、メモリカード５２を挿脱する際にチャタリングを生じても、ランプ９０がめまぐるしく点滅するような不具合も解消可能である。
【００４８】
また、高圧放電ランプは、冷えた状態から点灯開始した場合、点灯開始からある程度の時間が経過して発光金属の蒸気圧が高くならないと、なかなか光出力が大きくならない場合がある。これを解決するためのランプ点灯回路として、たとえば特開平２−１０６９７号公報に開示されるものがある。このランプ点灯回路は、点灯開始直後に大きな電力を入力し、時間の経過とともにランプに供給する電力を減じるものである。しかし、このような回路を用いた場合、ランプに対して電力を断続的に供給するとランプに過剰な電力が供給されたり、ランプ温度が高まったりしてランプ寿命を縮める場合がある。この点、メモリカード５２の抜かれたことを検知してから予め定められた時間が経過するまで待ち、その後にランプ９０を消灯することで上述した不具合を解消することができる。
【００４９】
投射型表示装置１に装着されていたメモリカード５２が取り外されたときに、ＣＰＵ８４により実行される上述した制御手順について、図５を参照して再度説明する。図５は、ＣＰＵ８４により実行される投射型表示装置１の制御手順の一部を示し、投射型表示装置１に装着されるメモリカード５２が取り外されたことを検出して音声増幅回路１０２をミュート状態にし、ランプ９０を消灯するまでの制御手順のみを示している。
【００５０】
ステップＳ４０１においてＣＰＵ８４は、コネクタ９８に装着されているメモリカード５２が取り外されたか否かを判定する。ステップＳ４０１での判定が否定されると、ＣＰＵ８４はステップＳ４０１の判定を引き続き行う。ステップＳ４０１の判定が肯定されるとＣＰＵ８４は、ステップＳ４０２においてタイマを起動する。ＣＰＵ８４は、ステップＳ４０３で計時が終了したか否かを判定し、否定されるとステップＳ４０３の判定を引き続き行う。ステップＳ４０３の判定が肯定されるとＣＰＵ８４は、ステップＳ４０４においてコネクタ９８にメモリカード５２が装着されているか否かを判定する。ステップＳ４０４での判定が肯定されるのは、比較的短い時間間隔で新たなメモリカード５２が装着された場合にあたる。この場合、ＣＰＵ８４はランプ９０の消灯等を行うことなく、図４のステップＳ３０４に分岐してメモリカード５２に記録される画像データに基づく画像表示を継続する。ステップＳ４０４での判定が否定されるとＣＰＵ８４は、ステップＳ４０５で制御回路８６にミュートの指令信号を発する。制御回路８６は、音声増幅回路１０２の端子１０２ａに制御信号を発して音声増幅回路１０２をミュート状態にする。ＣＰＵ８４はステップＳ４０６においてＯＲ回路７８に出力される信号を’Ｌ’にする。すると、ＯＲ回路７８の出力は’Ｌ’となってランプ９０は消灯する。
【００５１】
−  透過原稿の画像の投射表示  −
透過原稿５８がホルダ９４に装着されると、ＣＰＵ８４はこれを検知し、ＯＲ回路７８に’Ｈ’の信号を出力する。すると、ＯＲ回路７８からランプ点灯回路８８に’Ｈ’の信号が出力されてランプ９０が点灯する。続いてＣＰＵ８４は、ランプ９０を点灯してから予め定められた時間が経過するのを待ち、制御回路８６を介して音声増幅回路１０２に制御信号を発し、ミュートを解除する。
【００５２】
以上の制御動作に際してＣＰＵ８４は、制御回路８６に対して制御信号を発し、この制御信号端子１００ａおよび１００ｃのうち、予め定められたいずれかの端子と音声増幅回路１０２とが接続される状態に設定する。ＣＰＵ８４がこのようにスイッチ回路１００を制御することにより、音声入力端子２、あるいはＬ音声信号入力端子１０およびＲ音声信号入力端子１２から音声信号を入力してスピーカ１０６、あるいは不図示の外付けスピーカで再生することができる。
【００５３】
図６に示すフローチャートは、ＣＰＵ８４により実行される投射型表示装置１の制御手順の一部を示している。投射型表示装置１に透過原稿５８が装着されて投射表示を行う際に、ＣＰＵ８４で実行される上述の制御手順について、図６（ａ）を参照して再度説明する。図６（ａ）に示すフローチャートは、ＣＰＵ８４が透過原稿の装着されたことを検出してランプ９０を点灯し、音声増幅回路１０２のミュートを解除する制御動作の部分のみを示している。
【００５４】
ステップＳ５０１においてＣＰＵ８４は、フォトインタラプタ９２から出力される信号の変化の有無、すなわち透過原稿５８が装着されたか否かを判定し、この判定が否定されるとステップＳ５０１の判定を繰り返し行う。ステップＳ５０１の判定が肯定されるとＣＰＵ８４は、ステップＳ５０２においてＯＲ回路７８に出力する信号を’Ｈ’にする。すると、ＯＲ回路７８の出力信号は’Ｈ’となり、ランプ９０が点灯する。ＣＰＵ８４は、ステップＳ５０３においてスイッチ１００の接続切り換え指令信号を制御回路８６に出力する。制御回路８６は、ＣＰＵ８４から上記指令信号を受けるとスイッチ回路１００に制御信号を発して制御信号端子１００ａおよび１００ｃのうち、予め定められたいずれかの端子と音声増幅回路１０２とが接続される状態に切り換える。ＣＰＵ８４は、ステップＳ５０４においてタイマを起動し、ステップＳ５０５でタイマの計時が完了したか否かを判定する。ＣＰＵ８４は、この判定が否定されるとステップＳ５０５の判定を繰り返し行い、肯定されるとステップＳ５０６で制御回路８６にミュート解除の指令信号を発する。制御回路８６は、音声増幅回路１０２の端子１０２ａに制御信号を発して音声増幅回路１０２のミュートを解除する。
【００５５】
ＣＰＵ８４が以上に説明したようにスイッチ回路１００を切り換えることにより、透過原稿の画像を投射する場合には、音声入力端子２と、Ｌ音声信号入力端子１０およびＲ音声信号入力端子１２とのうち、いずれかの端子から入力される音声信号を増幅してスピーカ１０６等で再生することができる。このため、これらの音声入力端子のいずれかにテープレコーダやＣＤプレーヤ等を接続し、プレゼンテーション等を効果的に行うことができる。
【００５６】
なお、スイッチ１００の切換に関し、操作者が投射型表示装置１に配置されている不図示の音源選択スイッチの操作を検知してＣＰＵ８４がスイッチ１００に制御信号を発してもよい。また、操作者がリモートコントローラ５０を操作して音源を選択するのに応じ、ＣＰＵ８４がスイッチ１００に制御信号を発してもよい。
【００５７】
透過原稿５８が投射型表示装置１より取り外された場合の動作について説明する。ＣＰＵ８４は、透過原稿５８がホルダ９４より抜かれるのを検知するとＯＲ回路７８に出力する信号を’Ｌ’にする。ＯＲ回路７８の他方の入力は’Ｌ’であるのでＯＲ回路７８の出力も’Ｌ’となり、ランプ点灯回路８８はランプ９０を消灯する。ＣＰＵ８４はまた、制御回路８６を介して音声増幅回路１０２に制御信号を発し、音声増幅回路１０２をミュートさせる。
【００５８】
ところで、透過原稿５８の投射に際しては、複数の原稿を比較的短い時間間隔で頻繁に交換することが予想される。このとき、ランプ９０の点灯・消灯も頻繁に繰り返される。この現象が望ましくない場合には、透過原稿５８の抜かれたことをＣＰＵ８４が検知してから予め定められた時間が経過するまで待ち、その後にＯＲ回路７８に出力する信号を’Ｌ’としてもよい。このようにすることで、透過原稿５８を頻繁に交換するのにともなってランプ９０の点灯・消灯が頻繁に繰り返され、ランプ９０の寿命が短くなってしまう不具合も解消可能である。
【００５９】
図６（ｂ）を参照して投射型表示装置１に装着されている透過原稿５８が抜かれたときの、ＣＰＵ８４による上述した制御動作について再度説明する。図６（ｂ）に示すフローチャートは、ＣＰＵ８４が透過原稿５８の抜かれたことを検出して音声増幅回路１０２をミュート状態にし、ランプ９０を消灯する制御動作の部分のみを示している。
【００６０】
ステップＳ６０１においてＣＰＵ８４は、フォトインタラプタ９２から出力される信号が変化したか否か、すなわち透過原稿５８が抜かれたか否かを判定し、否定されるとステップＳ６０１の判定を繰り返し行う。ステップＳ６０１の判定が肯定されると、ＣＰＵ８４はステップＳ６０２においてタイマを起動する。ステップＳ６０３においてＣＰＵ８４は、タイマの計時が完了したか否かを判定し、否定されるとステップＳ６０３の判定を繰り返し行う。ＣＰＵ８４は、ステップＳ６０３の判定が肯定されるとステップＳ６０４においてフォトインタラプタ９２から出力される信号の変化の有無に基づいて透過原稿５８が再度装着されたか否かを判定する。ステップＳ６０４での判定が肯定されるということは、比較的短い時間間隔で透過原稿５８が交換された場合に相当する。この場合、ＣＰＵ８４はランプ９０を点灯状態に維持し、音声増幅回路１０２のミュート解除状態も維持して図６（ａ）のステップＳ５０６に続くステップに分岐し、引き続き透過原稿５８の投射表示を行う。ステップＳ６０４での判定が否定されるとＣＰＵ８４は、ステップＳ６０５において制御回路８６にミュートの指令信号を発する。制御回路８６は、この信号をＣＰＵ８４から受けると音声増幅回路１０２の端子１０２ａに信号を発して音声増幅回路１０２をミュート状態にする。ＣＰＵ８４は、ステップＳ６０６においてＯＲ回路７８に出力される信号を’Ｌ’にする。するとＯＲ回路７８の出力は’Ｌ’となり、ランプ９０が消灯する。以上に説明した発明は、現像済みのリバーサルフイルム等を投射する一般のスライドプロジェクタに適用することも可能である。
【００６１】
−  機能の設定変更操作がなされたときの投射表示  −
ここで、リモートコントローラ５０を用いることにより投射型表示装置１をどのように遠隔操作できるかについて説明する。操作者がリモートコントローラ５０を操作することにより、映像ソースの選択、ランプ９０の点灯・消灯、投射される画像の色合い、投射される画像の反転、ポインタの色、音声増幅回路１０２で増幅される音声信号の大きさ（ボリウム）等、様々な機能の設定変更を行うことができる。これらの操作に際して、変更可能な設定の一覧が後で説明するようにメニュー形式でスクリーン５６に表示される。以下の説明では、このように表示を行うことを「オンスクリーン表示」と称する。操作者は、オンスクリーン表示される画像を確認しながらリモートコントローラ５０を操作して各種の設定変更をする。なお、以下の説明においても投射型表示装置１は先に説明した初期状態にあるものとする。
【００６２】
操作者がリモートコントローラ５０を操作するのに応じ、リモートコントローラ５０からはリモートコントローラ５０の操作内容に応じて周波数変調されたパルス状の赤外光が出射される。受光素子８０はこの赤外光を受光して電気信号に変換し、デコーダ８２に出力する。デコーダ８２は、受光素子８０から出力される電気信号をデコードし、リモートコントローラ５０の操作内容に応じたコマンド信号をＣＰＵ８４に出力する。ＣＰＵ８４は、このコマンド信号を入力するとＯＲ回路７８に出力する信号を’Ｈ’にする。すると、ランプ９０が点灯する。このときＣＰＵ８４は画像生成回路８５に対して制御信号を発し、さらにスイッチ素子６６の端子６６ｄが液晶駆動回路１０８に接続されるように制御回路８６を介して制御信号を発する。
【００６３】
画像生成回路８５は、ＣＰＵ８４からの指令を受け、設定変更メニュー画面の画像データを生成する。すると、画像生成回路８５で生成される設定変更メニュー画面の画像データが液晶駆動回路１０８に出力されてスクリーン５６にオンスクリーン表示される。オンスクリーン表示される画像は、ＣＰＵ８４が画像生成回路８５に制御信号を発するのに応じて変化する。操作者は、オンスクリーン表示される内容を見ながらリモートコントローラ５０を操作する。ＣＰＵ８４は、このときにデコーダ８２から出力されるコマンド信号の内容を解釈して投射型表示装置１の設定内容を変更する。操作者は、設定内容の変更を終了するとリモートコントローラ５０を操作してオンスクリーン表示を消す指令を発する。ＣＰＵ８４はデコータ８２を介してオンスクリーン表示終了指令を受け、ＯＲ回路７８に出力する信号を’Ｌ’にする。すると、ＯＲ回路７８からランプ点灯回路８８に出力される信号も’Ｌ’となるので、ランプ点灯回路８８はランプ９０を消灯する。なお、操作者が以上のようにしてオンスクリー表示終了の操作をするのに代えて以下のようにしてもよい。すなわち、操作者は設定内容の変更を終了した時点でリモートコントローラ５０の操作を終える。ＣＰＵ８４は、デコーダ８２から入力される信号が途絶えてから予め定められた時間が経過すると、ＯＲ回路７８に出力する信号を’Ｌ’にする。すると、ＯＲ回路７８からランプ点灯回路８８に出力される信号も’Ｌ’となるので、ランプ点灯回路８８はランプ９０を消灯する。
【００６４】
操作者がリモートコントローラ５０を操作するのに応じ、投射型表示装置１でオンスクリーン表示が行われる際に、ＣＰＵ８４により実行される上述した制御手順について、図７を参照して再度説明する。図７は、ＣＰＵ８４により実行される投射型表示装置１の制御手順の一部を示し、デコーダ８２からコマンド信号の発せられたことを検出してランプ９０を点灯し、その後設定内容の変更操作が終わったときにランプ９０を消灯するまでの制御手順のみを示している。
【００６５】
ステップＳ７０１においてＣＰＵ８４は、デコーダ８２からコマンド信号が出力されているか否かを判定し、ステップＳ７０１の判定が否定されると引き続きステップＳ７０１の判定を行なう。ステップＳ７０１の判定が肯定されるとＣＰＵ８４は、ステップＳ７０２でＯＲ回路７８に出力される信号を’Ｈ’にする。すると、ＯＲ回路７８の出力は’Ｈ’となるのでランプ９０が点灯する。ステップＳ７０３においてＣＰＵ８４は、デコーダ８２から出力されるコマンド信号に基づいて画像生成回路８５に画像生成指令信号を出力する。ステップＳ７０４においてＣＰＵ８４は、制御回路８６にスイッチ素子６６の接続切換指令信号を出力する。制御回路８６は、ＣＰＵ８４から上記指令信号を受け、スイッチ素子６６に制御信号を発して端子６６ｄを液晶駆動回路１０８に接続する。ＣＰＵ８４による以上の制御動作により、画像生成回路８５で生成される画像が投射表示される。つまり、オンスクリーン表示が行われる。ステップＳ７０５においてＣＰＵ８４は、デコーダ８２から出力されるコマンド信号を解釈し、実行する。ステップＳ７０６においてＣＰＵ８４は、デコーダ８２から出力されるコマンド信号が、設定内容変更操作を終了させる指令に関するものであるか否かを判定し、否定されるとステップＳ７０５に戻って引き続きコマンド信号の解釈および実行を行う。ステップＳ７０６の判定が肯定されるとＣＰＵ８４は、ステップＳ７０７においてＯＲ回路７８に出力される信号を’Ｌ’にする。すると、ＯＲ回路７８の出力は’Ｌ’となり、ランプ９０が消灯する。
【００６６】
ここで、リモートコントローラ５０を操作しての映像ソースの切換について説明する。操作者は、上述のようにリモートコントローラ５０を操作して複数接続される外部機器のうち、どの機器から出力される映像信号に基づいて画像をスクリーン５６に表示するかを選択することができる。ＣＰＵ８４は、デコーダ８２より映像ソース切換に関するコマンド信号を入力するのに応じて制御回路８６を介してスイッチ素子６６およびスイッチ回路１００を切り換える。したがって、コンピュータ３０およびビデオカメラ４０の電源をオンしておき、スクリーン５６に表示される画像をコンピュータ３０から出力される映像信号に基づくものとビデオカメラ４０から出力される映像信号に基づくものとを適宜切り換えることができる。さらに、スクリーン５６に表示される画像をメモリカード５２に記録されている画像データに基づく画像に切り換えることも透過原稿５８の画像に切り換えることもできる。
【００６７】
以上では、コンピュータ３０およびビデオカメラ４０から出力される映像信号のうち、どちらの映像信号に基づいて画像を表示するか、操作者がリモートコントローラ５０を操作して切り換える例について説明したが、ＣＰＵ８４が自動切換するものであってもよい。この場合、同期分離回路６２、６８、そして端子４ｂからの信号をＣＰＵ８４へ個別に入力すればよい。このとき、複数の外部機器から同時に映像信号が入力される場合も考えられる。このような場合、優先的に選択される映像ソースを予め設定しておけば混乱を生じない。あるいは、一番最後に入力された映像ソースをＣＰＵ８４が検知して自動的にその映像ソースを選択するようにしてもよい。また、上記の複数の外部機器から同時に映像信号（透過原稿、メモリカードを含む）が入力される状態から、たとえば現在表示されている映像信号の入力がある時間以上途絶えた場合には、自動的に他の外部機器から入力される映像信号（透過原稿、メモリカードを含む）を表示するようにしてもよい。この際、表示されている映像信号の優先順位は予め設定しておけばよい。
【００６８】
オンスクリーン表示を見ながら操作者が各種の設定変更を行う際に、リモートコントローラ５０を操作するのに代えてマウス２８を操作するものであってもよい。この場合、たとえばマウス２８の右釦を一押しする（以下、左記動作を「右クリックする」と称する。また、マウス２８の左釦を一押しすることを「左クリックする」と称する。）ことによりオンスクリーン表示される。操作者は、オンスクリーン表示されるメニュー画面上に重ねて表示されるポインタを見ながらマウスを操作し、設定変更をしたいメニュー項目が表示されている位置にポインタを移動する。そこで適宜左クリック、あるいは右クリックの操作をすることにより希望の項目の設定変更を行うことができる。ＣＰＵ８４は、ランプ９０が消灯されている状態のときに、マウス２８の右クリック、左クリックの操作を検知するのに加えてマウス２８を机等の平面上で滑らせる操作を検知してランプ９０を点灯させることもできる。上記のマウス２８によるポインタ機能は、リモートコントローラ５０により行うこともできる。
【００６９】
また、上述したリモートコントローラ５０およびマウス８２に代えて投射型表示装置１の本体に機能の設定変更のためのスイッチを設けてもよい。あるいは、投射型表示装置１とは別体のコントロールパネルを設け、このコントロールパネルと投射型表示装置１とがケーブルによって接続されるものであってもよい。この場合、機能の設定変更はコントロールパネルを操作することにより行われる。
【００７０】
さらに、本発明に係る投射型表示装置は、ＤＶＤプレーヤ等を内蔵するものであってもよい。この場合、ＤＶＤのメディアがトレーにセットされたことをＣＰＵ８４が検知してランプ９０を点灯させることもできる。また、メモリカード５２に代えてフロッピーディスクやＭＯディスク等の磁気記録媒体や光磁気記録媒体を装着可能とすることもできる。
【００７１】
以上の発明の実施の形態と請求項との対応において、液晶駆動回路１０８および液晶表示装置１１０が画像生成装置を、ランプ９０が光源を、同期分離回路６２、６８が映像信号検出手段を、ランプ点灯回路８８またはＣＰＵ８４が点灯制御手段および消灯制御手段を、音声増幅回路１０２が音声増幅装置を、ＣＰＵ８４が弱音制御手段を、受光素子８０、デコーダ８２およびＣＰＵ８４、またはマウス２８およびＣＰＵ８４が操作検知手段を、画像生成回路８５が映像信号生成手段を、ＣＰＵ８４が遅延消灯制御手段を、メモリカード５２が記録媒体を、ＣＰＵ８４が記録媒体検出手段を、フォトインタラプタ９２およびＣＰＵ８４が原稿検出手段を、コンピュータ３０およびビデオカメラ４０が外部機器を、音声信号入力端子２、Ｌ音声信号入力端子１０およびＲ音声信号入力端子１２が音声信号入力端子を、スイッチ回路１００が音声信号切換装置を、コネクタ９８が第１の装着手段を、ホルダ９４が第２の装着手段を、ＣＰＵ８４が検出手段および音声切換制御手段をそれぞれ構成する。
【００７２】
【発明の効果】
以上に説明したように、本発明に係る投射型表示装置によれば、映像信号の入力の有無、記録媒体の装着の有無、あるいは透過原稿の装着の有無、さらには機能の設定変更操作の有無を検出してランプをオン・オフする構成としたので、操作者がいちいちランプのオン・オフ操作をする必要がなくなり、操作性が向上する。
また、投射表示すべき画像が存在しない場合、すなわち映像信号は入力されず、記録媒体あるいは透過原稿は装着されておらず、機能の設定変更操作がない場合には自動的にランプがオフされるので電力の消費を抑制することができる。このとき、投射すべき画像が存在しないと判定されてから予め定められた時間が経過した後、ランプをオフすることにより、記録媒体または外部装置との接続ケーブルのコネクタの挿脱時のチャタリング等が発生してもランプがめまぐるしく点滅をすることがなく、動作の安定性が増す。また、不必要なランプの点滅によってランプの寿命が縮められる不具合も抑制される。
さらに、映像信号の入力、記録媒体または透過原稿の装着があったことを検出してから予め定められた時間が経過するまで音声増幅装置の増幅率を抑制する状態または音声増幅装置の信号を遮断する状態を維持することにより、不要な音声ノイズの発生を抑制することができる。
【図面の簡単な説明】
【図１】  図１は、本発明の一実施の形態に係る投射型表示装置の概略的構成を説明する図である。
【図２】  図２は、本発明の一実施の形態に係る投射型表示装置の内部構成を概略的に説明する図である。
【図３】  図３は、ＣＰＵにより実行される投射型表示装置の制御手順の一部を説明するフローチャートであり、（ａ）は画像信号が入力された場合の制御動作を、（ｂ）は画像信号が途絶えたときの制御動作を説明するフローチャートである。
【図４】  図４は、ＣＰＵにより実行される投射型表示装置の制御手順の一部を説明するフローチャートであり、メモリカードが装着された場合の制御動作を説明するフローチャートである。
【図５】  図５は、ＣＰＵにより実行される投射型表示装置の制御手順の一部を説明するフローチャートであり、メモリカードが取り外された場合の制御動作を説明するフローチャートである。
【図６】  図６は、ＣＰＵにより実行される投射型表示装置の制御手順の一部を説明するフローチャートであり、（ａ）は透過原稿が装着された場合の制御動作を、（ｂ）は透過原稿が抜かれた場合の制御動作を説明するフローチャートである。
【図７】  図７は、ＣＰＵにより実行される投射型表示装置の制御手順の一部を説明するフローチャートであり、リモートコントローラが操作された場合の制御動作を説明するフローチャートである。
【符号の説明】
１  …  投射型表示装置              ２  …  音声信号入力端子
４、８  …  映像信号入力端子      １０  …  Ｌ音声信号入力端子
１２  …  Ｒ音声入力信号入力端子    ２８  …  マウス
３０  …  コンピュータ              ４０  …  ビデオカメラ
５０  …  リモートコントローラ      ５２  …  メモリカード
５８  …  透過原稿                  ６２、６８  …  同期分離回路
６４  …  ディジタルデコーダ        ６６  …  スイッチ素子
７６  …  マルチバイブレータ        ８０  …  受光素子
８２  …  デコーダ                  ８４  …  ＣＰＵ
８５  …  画像生成回路              ８６  …  制御回路
８８  …  ランプ点灯回路            ９０  …  ランプ
９２  …  フォトインタラプタ        ９６  …  デコード回路
９８  …  コネクタ                １００、１０４  …  スイッチ回路
１０２  …  音声増幅回路            １０８  …  液晶駆動回
１１０  …  液晶表示装置
【図１】
0004505900.tif 000002
【図２】
0004505900.tif 000003
【図３】
0004505900.tif 000004
【図４】
0004505900.tif 000005
【図５】
0004505900.tif 000006
【図６】
0004505900.tif 000007
【図７】
0004505900.tif 000008